(57)【要約】【課題】光源部品の落下が防止された照明器具において、光源部品の取付構造を簡易なものとし、その部品点数を少なくする。【解決手段】照明器具１は、ＬＥＤモジュール３と取付部品２とを備える。ＬＥＤモジュール３は、ＬＥＤ３５を支持する本体３１、本体３１から側方に延びる板状体４０、その反対の側方に向かって突出し、弾性変形する突起５０、を有する。取付部品２は、本体３１の側面と対向して、本体３１を収容可能な距離に支持される第１保持部２１１と第２保持部２１２とを有する。第１保持部２１１には、上部開口及び上部開口と連続する下部開口から構成される第１挿入孔が形成される。板状体４０は、中間部が下部開口に係合可能であって、下部開口に係止する先端部を有する。第２保持部２１２には、突起５０が挿入可能で、突起５０を係止する第２挿入孔が形成される。【選択図】図２
2015072886.tif 000002
【特許請求の範囲】
【請求項１】
光源を正面側に支持する本体、該本体から側方に向かって延びる板状体、前記本体から前記板状体と反対の側方に向かって突出し、および、突出する方向と反対の方向から押圧することによって弾性変形する突起部材、を有する光源部品と、
前記本体の前記板状体側の側面と前記突起部材側の側面にそれぞれ対向して、前記本体を収容可能な距離に支持される第１保持部材と第２保持部材とを有する取付部品と、
を備え、
前記第１保持部材は、前記本体を収容した場合の前記本体の背面側から、前記板状体の先端が挿入可能な第１の開口、および、該第１の開口の前記本体の正面側に連続して前記板状体の先端の抜出を阻止する第２の開口、から構成される第１挿入孔が形成され、
前記板状体は、その中間部が前記第２の開口に係合可能であって、前記第２の開口に係止する先端部を有し、
前記第２保持部材は、前記突起部材が挿入可能であって、前記突起部材を前記第２保持部材の面の方向に係止する第２挿入孔が形成され、
前記第１保持部材と前記第２保持部材の間隔は、前記板状体の前記先端部から前記突起部材の先端までの距離より小さい、
ことを特徴とする照明器具。
【請求項２】
前記中間部は、前記本体の側方から背面側に屈曲する屈曲部を有し、
前記第１挿入孔は、前記先端部から前記屈曲部までの前記中間部を収容可能に形成されることを特徴とする請求項１に記載の照明器具。
【請求項３】
前記第１保持部材は、前記本体の正面側に向かって広がる方向に傾斜する傾斜面を有する形状に形成され、
前記第１挿入孔は前記傾斜面に形成されていることを特徴とする請求項１または２に記載の照明器具。
【請求項４】
前記第１保持部材には、前記第２の開口よりも正面側に位置し、前記先端部が前記第２の開口に係止した状態で前記屈曲部が挿入可能な第３挿入孔が形成されることを特徴とする請求項２に記載の照明器具。
【請求項５】
前記第３挿入孔は、前記先端部が前記第２の開口に係止した状態における前記第２の開口から前記屈曲部までの距離と同じ距離だけ前記第２の開口から離れた位置に、前記中間部の幅よりも大きい幅を有する形状に形成されることを特徴とする請求項４に記載の照明器具。
【請求項６】
前記屈曲部は、前記本体の側方から前記本体の背面側へ略直角に屈曲することを特徴とする請求項２、４および５のいずれか１項に記載の照明器具。
【請求項７】
前記光源部品は、前記本体が前記第１保持部材および前記第２保持部材に収容された状態で、前記第１保持部材に対する前記本体の側面の位置を決めて、前記突起部材が前記第２挿入孔に挿入された状態を維持する位置決め部を有することを特徴とする請求項１ないし６のいずれか１項に記載の照明器具。
【請求項８】
前記位置決め部は、前記板状体に固定され、前記本体の側方から前記第１保持部材に当接する部材であることを特徴とする請求項７に記載の照明器具。
【請求項９】
前記突起部材は、前記中間部が前記本体の側方に突出して屈曲した板状の弾性体であることを特徴とする請求項１ないし８のいずれか１項に記載の照明器具。
【請求項１０】
前記第１の開口の幅は、前記第２の開口の幅より大きく、
前記板状体の前記中間部の幅は、前記第２の開口の幅より小さく、
前記板状体の前記先端部の幅は、前記第２の開口の幅より大きいことを特徴とする請求項１ないし９のいずれか１項に記載の照明器具。
【請求項１１】
前記板状体と前記突起部材は、１つの板状部材が折り曲げられて成形されていることを特徴とする請求項１ないし１０のいずれか１項に記載の照明器具。
【請求項１２】
前記本体は、正面が略長方形に形成され、
前記板状体および前記突起部材は、前記本体の長辺に配置されることを特徴とする請求項１ないし１１のいずれか１項に記載の照明器具。
【請求項１３】
請求項１ないし１２のいずれか１項に記載の照明器具の取付部品に取付可能な光源部品であって、
光源を正面側に支持する本体、該本体から側方に向かって延びる板状体、前記本体から前記板状体と反対の側方に向かって突出し、および、突出する方向と反対の方向から押圧することによって弾性変形する突起部材、を備え、
前記板状体は、その中間部が前記第２の開口に係合可能であって、前記第２の開口に係止する先端部を有することを特徴とする光源部品。
【請求項１４】
請求項１ないし１２のいずれか１項に記載の照明器具の光源部品が取付可能な取付部品であって、
前記本体の前記板状体側の側面と前記突起部材側の側面にそれぞれ対向して、前記本体を収容可能な距離に支持される第１保持部材と第２保持部材と、
を備え、
前記第１保持部材は、前記本体を収容した場合の前記本体の背面側から、前記板状体の先端が挿入可能な第１の開口、および、該第１の開口の前記本体の正面側に連続して前記板状体の先端の抜出を阻止する第２の開口、から構成される第１挿入孔が形成され、
前記第２保持部材は、前記突起部材が挿入可能であって、前記突起部材を前記第２保持部材の面の方向に係止する第２挿入孔が形成され、
前記第１保持部材と前記第２保持部材の間隔は、前記板状体の前記先端部から前記突起部材の先端までの距離より小さい、
ことを特徴とする取付部品。
【発明の詳細な説明】
【技術分野】
【０００１】
本発明は、照明器具、照明器具の取付部品に取付可能な光源部品、および照明器具の光源部品が取付可能な取付部品に関する。
【背景技術】
【０００２】
照明器具への光源部品（ランプ等）の取付には、様々な方式が採用されている。例えば、直管ＬＥＤ（Light Emitting Diode）ランプの照明器具には、一般社団法人日本電球工業会規格（ＪＥＬ８０１：２０１０）に準拠した口金によって、直管ＬＥＤランプを照明器具に取り付けるものがある（非特許文献１）。この照明器具は、直管ＬＥＤランプ側面に配置された口金によって、直管ＬＥＤランプが保持されるとともに給電が行われる。この口金は、直管ＬＥＤランプの誤挿入と落下を防止して、安全性を確保している。
【０００３】
また、半円筒形状のＬＥＤランプの照明器具には、係止部材およびフックにより、ＬＥＤランプを照明器具に取り付けるものがある。特許文献１には、背面に係止部材が設けられた半円筒形状のＬＥＤランプと、係止穴が形成された照明器具本体とを備える照明器具が記載されている。係止部材は、略菱形に折り曲げられた金属の線材で構成され、照明器具本体の係止穴に差し込まれて係止穴の縁に係止する。係止穴にはフックが形成され、係止部材がこのフックに引っ掛かることによりＬＥＤランプの落下が防止される。ＬＥＤランプへの給電は、ＬＥＤランプの背面に設けられた給電用コネクタによって行われる。
【先行技術文献】
【特許文献】
【０００４】
【特許文献１】特開２０１２−１８５９８１号公報
【非特許文献】
【０００５】
【非特許文献１】「ライティング・フェア２０１２配布版  照明器具・ランプ  ＬＥＤ照明・省エネ照明」、ＮＥＣライティング株式会社、２０１３年３月発行、Ｐ５
【発明の概要】
【発明が解決しようとする課題】
【０００６】
上記の照明器具は、光源部品の落下が防止されているが、光源部品を照明器具本体に取り付けるための構造が複雑で、その部品点数も多い。例えば、非特許文献１に記載の照明器具では、給電用ピンが設けられた口金と、接地用ピンが設けられた口金とを、ＬＥＤランプの両側に設け、それらの口金を保持し、かつ各ピンに接続可能なソケットを照明器具本体に設ける必要がある。また、特許文献１に記載のＬＥＤランプでは、線材で構成される係止手段と、係止手段をＬＥＤランプに固定するための２つのブラケットとをＬＥＤランプに設け、照明器具本体に係止穴を形成し、係止穴を跨ぐフックを設ける必要がある。
【０００７】
本発明は、上記事情に鑑みてなされたものであり、光源部品の落下が防止された照明器具において、光源部品の取付構造を簡易なものとし、その部品点数を少なくすることを目的とする。
【課題を解決するための手段】
【０００８】
本発明の第１の観点に係る照明器具は、
光源を正面側に支持する本体、該本体から側方に向かって延びる板状体、前記本体から前記板状体と反対の側方に向かって突出し、および、突出する方向と反対の方向から押圧することによって弾性変形する突起部材、を有する光源部品と、
前記本体の前記板状体側の側面と前記突起部材側の側面にそれぞれ対向して、前記本体を収容可能な距離に支持される第１保持部材と第２保持部材とを有する取付部品と、
を備え、
前記第１保持部材は、前記本体を収容した場合の前記本体の背面側から、前記板状体の先端が挿入可能な第１の開口、および、該第１の開口の前記本体の正面側に連続して前記板状体の先端の抜出を阻止する第２の開口、から構成される第１挿入孔が形成され、
前記板状体は、その中間部が前記第２の開口に係合可能であって、前記第２の開口に係止する先端部を有し、
前記第２保持部材は、前記突起部材が挿入可能であって、前記突起部材を前記第２保持部材の面の方向に係止する第２挿入孔が形成され、
前記第１保持部材と前記第２保持部材の間隔は、前記板状体の前記先端部から前記突起部材の先端までの距離より小さい、
ことを特徴とする。
【０００９】
本発明の第２の観点に係る光源部品は、
第１の観点に係る照明器具の取付部品に取付可能な光源部品であって、
光源を正面側に支持する本体、該本体から側方に向かって延びる板状体、前記本体から前記板状体と反対の側方に向かって突出し、および、突出する方向と反対の方向から押圧することによって弾性変形する突起部材、を備え、
前記板状体は、その中間部が前記第２の開口に係合可能であって、前記第２の開口に係止する先端部を有することを特徴とする。
【００１０】
本発明の第３の観点に係る取付部品は、
第１の観点に係る照明器具の光源部品が取付可能な取付部品であって、
前記本体の前記板状体側の側面と前記突起部材側の側面にそれぞれ対向して、前記本体を収容可能な距離に支持される第１保持部材と第２保持部材と、
を備え、
前記第１保持部材は、前記本体を収容した場合の前記本体の背面側から、前記板状体の先端が挿入可能な第１の開口、および、該第１の開口の前記本体の正面側に連続して前記板状体の先端の抜出を阻止する第２の開口、から構成される第１挿入孔が形成され、
前記第２保持部材は、前記突起部材が挿入可能であって、前記突起部材を前記第２保持部材の面の方向に係止する第２挿入孔が形成され、
前記第１保持部材と前記第２保持部材の間隔は、前記板状体の前記先端部から前記突起部材の先端までの距離より小さい、
ことを特徴とする。
【発明の効果】
【００１１】
本発明によれば、光源部品の落下が防止された照明器具において、光源部品の取付構造を簡易なものとし、その部品点数を少なくすることが可能である。
【図面の簡単な説明】
【００１２】
【図１】本発明の実施の形態１に係る照明器具を示す平面図、正面図、側面図である。（Ａ）が平面図、（Ｂ）が正面図、（Ｃ）が側面図である。
【図２】図１に示す照明器具のＡ−Ａ線の断面図である。
【図３】実施の形態１に係る取付部品を示す斜視図である。
【図４】実施の形態１に係る取付部品の第１挿入孔、第２挿入孔を示す斜視図である。
【図５】実施の形態１に係るＬＥＤモジュールを示す斜視図である。
【図６】実施の形態１に係るＬＥＤモジュールの板状体、突起を示す斜視図である。
【図７】実施の形態１に係る照明器具の組立方法を示す断面図である。
【図８】実施の形態１に係る照明器具の組立方法を示す断面図である。
【図９】本発明の実施の形態２に係る照明器具におけるＬＥＤモジュールの板状体、突起を示す斜視図である。
【図１０】実施の形態２に係る照明器具の組立方法を示す断面図である。
【図１１】本発明の実施の形態３に係る照明器具を示す平面図、正面図、側面図である。（Ａ）が平面図、（Ｂ）が正面図、（Ｃ）が側面図である。
【図１２】図１１に示す照明器具のＢ−Ｂ線の断面図である。
【図１３】実施の形態３に係る取付部品の第１保持部材、第２保持部材を示す斜視図である。
【図１４】実施の形態３に係るＬＥＤモジュールの板状体、突起を示す斜視図である。
【図１５】実施の形態３に係る照明器具の組立方法を示す斜視図である。
【図１６】実施の形態３に係る照明器具の組立方法を示す斜視図である。
【図１７】第１挿入孔および板状体の変形例を示す斜視図である。
【図１８】位置決め部の変形例を示す断面図である。
【図１９】突起の変形例を示す断面図である。
【図２０】第１保持部材の変形例を示す斜視図である。
【図２１】第１保持部材、第２保持部材の変形例を示す断面図である。
【発明を実施するための形態】
【００１３】
以下、本発明を実施するための形態について図面を参照して詳細に説明する。なお図中、同一または同等の部分には同一の符号を付す。
【００１４】
（実施の形態１）
図１は、本発明の実施の形態１に係る照明器具を示す平面図、正面図、側面図である。（Ａ）が平面図、（Ｂ）が正面図、（Ｃ）が側面図である。図１に示すように、実施の形態１に係る照明器具１は、取付部品２とＬＥＤモジュール３とを備えている。取付部品２は天井などの照明器具１の設置場所に固定され、ＬＥＤモジュール３が取り付けられた後、これを保持する部品である。取付部品２は、本体、照明器具本体、搭載器具等の名称で呼ばれる部品である。ＬＥＤモジュール３は、照明器具１の光源を構成する光源部品であり、光源モジュール、光源ユニット等の名称で呼ばれる部品である。
【００１５】
取付部品２は、底面長方形かつ断面台形の形状に形成され、その中央にＬＥＤモジュール３が配置されている。ＬＥＤモジュール３は、略直方体の形状に形成されている。以下、取付部品２とＬＥＤモジュール３の構造について断面図を参照しながら説明する。
【００１６】
図２は、図１に示す照明器具のＡ−Ａ線の断面図である。図２は、照明器具１が天井９に設置された状態を示す。照明器具１が天井９に設置された状態で、鉛直方向（設置面に垂直な方向）をＺ軸と定める。Ａ−Ａ線断面に直交する方向（図１でＬＥＤモジュール３の長辺方向）をＸ軸、Ａ−Ａ線断面内でＺ軸に直交する方向（図１でＬＥＤモジュール３の短辺方向）をＹ軸と定める。照明器具１が天井９に設置された状態で、ＸＹ平面は水平面である。図２に示す取付部品２は、板状部材（例えば、板金）が折り曲げられることにより形成されている。取付部品２は、端から、ベース部２９、反射板２８、ＬＥＤモジュール取付部２１、反射板２８、ベース部２９の順で、各構造物が配置されている。取付部品２は、建物の天井９に器具取付具２７によって固定されている。
【００１７】
器具取付具２７は、取付部品２を照明器具１の設置場所に取り付けるための部材である。器具取付具２７は、締結具（ボルトおよびナット等）で構成される。
【００１８】
ベース部２９は、照明器具１の設置場所（天井９等）に設置可能な設置面を形成する部材である。ベース部２９が設置場所に当接した状態で、取付部品２は器具取付具２７によって設置場所に固定される。
【００１９】
反射板２８は、白色塗料等が塗装されて形成され、ＬＥＤモジュール３からの光を照明器具１正面側に反射する。反射板２８は、ＬＥＤモジュール取付部２１の両側の傾斜面に配置される。
【００２０】
ＬＥＤモジュール取付部２１は、ＬＥＤモジュール３が嵌め込まれる凹部構造である。ＬＥＤモジュール取付部２１の底面には、器具取付具２７が設けられ、ＬＥＤモジュール取付部２１の内側には、ＬＥＤモジュール３に電力を供給するための電源端子台（図示せず）が収容される。電源端子台は、外部電源を接続する端子を備え、コネクタが接続されている。電源端子台に接続されているコネクタを、後述する電源回路３６に接続されているコネクタに接続することにより、電源端子台は電源回路３６に電力を供給する。
【００２１】
ＬＥＤモジュール取付部２１には、ＬＥＤモジュール３の側面それぞれと対向する第１保持部２１１および第２保持部２１２が形成されている。ＬＥＤモジュール取付部２１は、第１保持部２１１および第２保持部２１２により、後述するＬＥＤモジュール３の板状体４０と突起５０とを保持する。
【００２２】
ＬＥＤモジュール３は、ＬＥＤ３５と、電源回路３６と、モジュールカバー３７と、本体３１と、板状体４０と、突起５０とで構成されている。
【００２３】
ＬＥＤ３５は、白色ＬＥＤまたは赤色、青色、緑色の組み合わせからなるＬＥＤで構成される。ＬＥＤモジュール３では、複数のＬＥＤ３５が用いられている。ＬＥＤ３５は、平面略長方形状の基板３５１に、ほぼ等間隔に実装される。
【００２４】
電源回路３６は、ＬＥＤ３５に印加する電圧を制御する回路であり、ＬＥＤ３５の点灯を制御する。電源回路３６の制御は、ＬＥＤモジュール３の調光、調色を可能とする。電源回路３６は、例えば、昼白色、白色、電球色等の調色を行う。電源回路３６は電源端子台から電力供給を受ける。
【００２５】
モジュールカバー３７は、ＬＥＤ３５を覆うカバーであり、グローブ等の名称で呼ばれる部品である。モジュールカバー３７は、例えば、透光性の樹脂材料（例えば、アクリル樹脂）によって中空でかつ、開口を有する略直方体状に形成される。モジュールカバー３７は、開口側が本体正面３１Ｂに向けられた状態で、本体３１に固定される。モジュールカバー３７の開口内にはＬＥＤ３５が実装された基板３５１が配置される。モジュールカバー３７は、ＬＥＤ３５を保護するとともにＬＥＤ３５からの光を拡散する。
【００２６】
本体３１は、モジュールカバー３７を支持し、電源回路３６を収容する筐体である。本体３１は、開口を有する、正面略長方形の直方体形状に形成されている。本体３１は、本体背面３１Ａ側に開口が配置され、開口内部に電源回路３６が収容される。本体３１の開口と反対側には、ＬＥＤ３５の基板３５１が配置される。本体３１の側面には、モジュールカバー３７の開口端部が嵌め込まれる溝が形成されている。本体３１は、板状体４０、突起５０によって取付部品２に取り付けられる。
【００２７】
板状体４０および突起５０は、ＬＥＤモジュール３を取付部品２に取り付けるための接続具である。板状体４０、突起５０は、ＬＥＤモジュール３の本体背面３１Ａが取付部品２側に向けられた状態で、第１挿入孔２４、第２挿入孔２５にそれぞれ挿入されて、ＬＥＤモジュール３が取付部品２に取り付けられる。以下に、取付部品２の第１挿入孔２４および第２挿入孔２５について説明する。
【００２８】
図３は、実施の形態１に係る取付部品を示す斜視図である。図３に示す取付部品２には、第１保持部２１１に第１挿入孔２４、第２保持部２１２に第２挿入孔２５がそれぞれ形成されている。第１挿入孔２４と第２挿入孔２５は、対向して対を形成し、取付部品２全体では、２対の第１挿入孔２４、第２挿入孔２５が形成されている。
【００２９】
図４は、実施の形態１に係る取付部品の第１挿入孔、第２挿入孔を示す斜視図である。第１挿入孔２４および第２挿入孔２５は、取付部品２を形成する板状部材を貫通する貫通孔である。第１挿入孔２４は、上部開口２４１と、上部開口２４１と連続する下部開口２４２とから構成されている。
【００３０】
上部開口２４１および下部開口２４２は、ともに略長方形状に形成されている。上部開口２４１および下部開口２４２は連続して、全体でＴ字型の開口を形成している。より詳細には、上部開口２４１および下部開口２４２の短辺は、取付部品２を天井９に設置した図２に示す状態で、Ｚ方向を向き、上部開口２４１と下部開口２４２は、Ｚ方向に連続している。上部開口２４１の長辺は、下部開口２４２の長辺と接している。下部開口２４２の長辺は、上部開口２４１の長辺よりも短く、かつ上部開口２４１の長辺の中央に配置されている。これにより、上部開口２４１は、後述する板状体４０の先端部４１が挿入、抜き取り可能であり、下部開口２４２は、先端部４１の挿入、抜き取りが阻止される。
【００３１】
第２挿入孔２５は、略正方形状の開口を有する形状に形成されている。開口の各辺は、取付部品２を天井９に設置した図２に示す状態で、Ｚ方向、Ｘ方向に向いている。その大きさは、突起５０が挿入可能な大きさである。以下に、ＬＥＤモジュール３の板状体４０および突起５０について説明する。
【００３２】
図５は、実施の形態１に係るＬＥＤモジュールを示す斜視図である。図５に示すように、ＬＥＤモジュール３は、本体３１から側方に向かって延びる板状体４０と、本体３１から板状体４０と反対の側方に突出する突起５０とを備えている。板状体４０および突起５０は、本体背面３１Ａ側かつ、本体３１の長辺側面に配置されている。板状体４０および突起５０は、ほぼ一直線上に並んで、対を形成している。ＬＥＤモジュール３全体では、２対の板状体４０および突起５０が配置されている。
【００３３】
図６は、実施の形態１に係るＬＥＤモジュールの板状体、突起を示す斜視図である。図６に示す板状体４０および突起５０は、一枚の板状部材（例えば、ステンレス、ばね鋼等の金属板）が折り曲げられて一体に成形されている。端から順に、板状体４０、連結部４５、突起５０が形成されている。板状体４０は、中間部４３と先端部４１とを有する形状に形成されている。
【００３４】
中間部４３は、板状体４０の幅が一定に成形された部分で、本体３１側方、すなわち、本体側面３１Ｄに垂直に交わる方向かつ本体背面３１Ａとほぼ平行に、連結部４５からほぼ直線的に延びている。その幅は、連結部４５の幅よりも小さい。また、中間部４３の幅は、第１挿入孔２４の下部開口２４２の長辺よりも小さく、中間部４３の厚みは、下部開口２４２の短辺よりも小さい。これにより、中間部４３は、上部開口２４１に差し込み可能、かつ下部開口２４２に係合可能である。中間部４３は、本体３１から直線的に延びた後、第１屈曲部４２で本体正面３１Ｂ側に略９０度屈曲する。
【００３５】
先端部４１は、中間部４３と連続するＴ字型の構造物である。先端部４１の幅は、中間部４３の幅よりも大きい。また、先端部４１の幅は、第１挿入孔２４の上部開口２４１の長辺よりも小さく、かつ下部開口２４２の長辺よりも大きい。先端部４１の厚みは、上部開口２４１の短辺よりも小さい。これにより、先端部４１は、上部開口２４１に挿入可能かつ下部開口２４２に係止可能である。先端部４１が下部開口２４２に係止可能であるので、取付部品２からのＬＥＤモジュール３の脱落を防ぐことが可能である。
【００３６】
連結部４５は、板状体４０と突起５０とを連結する部分であり、本体背面３１Ａに配置されている。連結部４５の両側には、連結部４５から本体３１側面に沿うように折り曲げられた固定部４６が形成されている。固定部４６が留め具４７によって本体３１側面に固定されることにより、連結部４５は、本体背面３１Ａに固定される。
【００３７】
突起５０は、板状部材が断面半円状に曲げられて成形された構造物である。突起５０は、本体側面３１Ｃの側方に向かって突出し、突出する方向と反対の方向から押圧されると、弾性変形可能である。突起５０は、半円部５１と、半円部５１と連結部４５を接続する接続部５２とから構成されている。
【００３８】
半円部５１は、断面半円状に屈曲し、その屈曲が本体３１側方に突出して突起５０を形成する部分である。半円部５１の直径（図６に示すＷ）は、第２挿入孔２５のＺ方向の高さよりもやや大きく、その幅（図６に示すＤ）は、第２挿入孔２５のＸ方向の幅とほぼ同じである。半円部５１は、弾性変形することにより、第２挿入孔２５に嵌合可能かつ挿入可能である。半円部５１が第２挿入孔２５に挿入されると、半円部５１は、もとの形状に復元しようとする復元力によって第２挿入孔２５の開口側面を押す。これにより、半円部５１は、第２保持部２１２の面の方向に係止可能である。
【００３９】
接続部５２は、連結部４５から本体３１側面に沿う方向に延びた後、断面Ｕ字型に屈曲する部分である。接続部５２は突起５０が押圧されると、本体側面３１Ｃと突起５０の半円部５１との開度が小さくなるように弾性変形可能である。これにより、本体３１がＬＥＤモジュール取付部２１に取り付けられる場合に、突起５０が第２保持部２１２に押しつけられて、接続部５２が弾性変形し、突起５０を本体側面３１Ｃと第２保持部２１２との間に入れることが可能となる。
【００４０】
半円部５１の、本体側面３１Ｃから最も離れた位置にある先端から、本体側面３１Ｃと対向する本体側面３１Ｄまでの距離（Ｌ２）は、第１保持部２１１と第２保持部２１２との間の距離（Ｌ１）よりも大きい（図４および図６参照）。これにより、ＬＥＤモジュール３が取付部品２に取り付けられた状態で、取付部品２が第１保持部２１１方向にずれても突起５０が第２挿入孔２５からはずれることがない。すなわち、この関係によって取付部品２からのＬＥＤモジュール３の脱落を防ぐことが可能である。
【００４１】
以下に、取付部品２とＬＥＤモジュール３とを用いて照明器具１を組み立てる方法について説明する。
【００４２】
図７および図８は、実施の形態１に係る照明器具の組立方法を示す断面図である。図７（Ａ）に示すように、まず、板状体４０の先端部４１を、ＬＥＤモジュール取付部２１の第１挿入孔２４に挿入する。先端部４１を第１挿入孔２４の上部開口２４１に挿入する。先端部４１および第１屈曲部４２を第１挿入孔２４の内部まで差し込んで、第１屈曲部４２を第１挿入孔２４の下部開口２４２に嵌め込む。この状態で、先端部４１の抜き差しが下部開口２４２によって阻止され、ＬＥＤモジュール３は、取付部品２にぶら下がった状態となる。この状態で、ＬＥＤモジュール３の落下が防止される。作業者はＬＥＤモジュール３を手で支える必要がない。作業者は、電源端子台に接続されているコネクタと、電源回路３６に接続されているコネクタとを接続する。
【００４３】
次いで、図７（Ｂ）に示すように、板状体４０の先端部４１を、さらに第１挿入孔２４の内部まで差し込む。ＬＥＤモジュール３をＬＥＤモジュール取付部２１側に持ちあげて第２保持部２１２に突起５０を押し当てる。突起５０は、第２保持部２１２から押圧され、弾性変形する。図８（Ｃ）に示すように、突起５０の一部が第２保持部２１２に当接する。
【００４４】
さらに、ＬＥＤモジュール３を持ち上げると、図８（Ｄ）に示すように、突起５０は、第２挿入孔２５端部に達する。突起５０は、第２挿入孔２５で、弾性変形した状態から解放され、図８（Ｅ）に示すように、第２挿入孔２５に係止する。以上により、照明器具１の組立が完了する。
【００４５】
以上のように、本実施の形態に係る照明器具１には、第１挿入孔２４および第２挿入孔２５が取付部品２に、板状体４０および突起５０がＬＥＤモジュール３に、それぞれ形成されている。板状体４０の先端部４１から突起５０の先端までの距離は、第１保持部２１１と第２保持部２１２との間の距離よりも大きい。また、突起５０に押圧を加えると突起５０は弾性変形する。この照明器具１によれば、突起５０を弾性変形させて、ＬＥＤモジュール取付部２１にＬＥＤモジュール３を取付可能である。
【００４６】
第１挿入孔２４は、上部開口２４１および下部開口２４２が連続して形成され、かつ下部開口２４２の長辺の幅は、中間部４３の幅よりも大きく先端部４１の幅よりも小さい。これにより、先端部４１が下部開口２４２に係止可能である。また、半円部５１の、本体側面３１Ｃから最も離れた位置にある先端から、本体側面３１Ｃと対向する本体側面３１Ｄまでの距離が、第１保持部２１１と第２保持部２１２との間の距離よりも大きい。これにより、ＬＥＤモジュール３が第１保持部２１１側にずれたとしても、第２挿入孔２５から突起５０がはずれることがない。照明器具１によれば、ＬＥＤモジュール３が取付部品２から落下することが防止される。
【００４７】
取付部品２には、第１挿入孔２４を有する第１保持部２１１、第２挿入孔２５を有する第２保持部２１２がそれぞれ形成されている。一方、ＬＥＤモジュール３には、板状体４０および突起５０が配置されている。この実施の形態によれば、取付部品２へのＬＥＤモジュール３の取付構造が容易であり、部品点数が少ない照明器具１が提供可能である。例えば、板状体４０および突起５０は、１つの板状部材が折り曲げられて成形されているので、照明器具１は部品点数が少ない。
【００４８】
（実施の形態２）
本発明の実施の形態２に係る照明器具１は、位置決め部４８を有する照明器具である。実施の形態１と異なる構成について説明する。
【００４９】
図９は、本発明の実施の形態２に係る照明器具におけるＬＥＤモジュールの板状体、突起を示す斜視図である。図９に示すように、実施の形態２に係る照明器具１は、位置決め部４８を備えている。
【００５０】
位置決め部４８は、本体３１が第１保持部２１１および第２保持部２１２が形成されたＬＥＤモジュール取付部２１に収容された状態で、第１保持部２１１に対する本体３１の側面の位置を決めて、突起５０が第２挿入孔２５に挿入された状態を維持する部分である。
【００５１】
より詳細には、位置決め部４８は、板状体４０に固定され、本体３１の側方から第１保持部２１１に当接する部材である。その形状は、断面略矩形状の板状であり、中間部４３から分岐するように、中間部４３に対して略垂直方向に延びる。その幅および厚みは、中間部４３とほぼ同じである。その大きさは、第１挿入孔２４よりも大きく、その高さは、上部開口２４１および下部開口２４２の短辺の合計よりも大きい。これにより、位置決め部４８は、中間部４３を第１挿入孔２４に差し込んでいくときに、第１挿入孔２４入口にひっかかり第１保持部２１１の面に当接する。
【００５２】
第１保持部２１１と当接する位置決め部４８の面から突起５０の半円部５１の根本までの距離（Ｌ３）は、第１保持部２１１と第２保持部２１２との間の距離（Ｌ１）とほぼ等しいか、または、やや大きい（図４および図９参照）。これにより、突起５０が第２挿入孔２５に係止した状態で、位置決め部４８の面が第１保持部２１１と当接する。以下に、照明器具１の組立方法について説明する。
【００５３】
図１０は、実施の形態２に係る照明器具の組立方法を示す断面図である。図１０（Ａ）に示すように、板状体４０の先端部４１を、モジュール取付部２１の第１挿入孔２４に挿入する。実施の形態１の場合と同様に、ＬＥＤモジュール３をモジュール取付部２１側に持ちあげると、図１０（Ｂ）に示すように、突起５０は、弾性変形して、第２挿入孔２５端部まで達する。このとき、位置決め部４８は、第１保持部２１１の面と対向する。突起５０は、第２挿入孔２５で、弾性変形した状態から解放され、図１０（Ｃ）に示すように、第２挿入孔２５に係止する。位置決め部４８は、第１保持部２１１の面と当接する。
【００５４】
以上のように、実施の形態２に係る照明器具１は、ＬＥＤモジュール３が取付部品２に取り付けられた状態で、ＬＥＤモジュール３側面の位置を決める位置決め部４８を備えている。位置決め部４８は、板状体４０が第１挿入孔２４に差し込まれ、突起５０が第２挿入孔２５に挿入された状態で、第１保持部２１１の面に当接し、ＬＥＤモジュール３が第１保持部２１１側に偏らない。これにより、突起５０が第２挿入孔２５に挿入された状態を維持することが可能である。実施の形態２によれば、取付部品２からのＬＥＤモジュール３の落下がより生じにくい。照明器具１は、位置決め部４８によって、突起５０が第２挿入孔２５に挿入された状態を維持可能であるので、例えば、傾斜した天井９や壁面にも設置可能である。
【００５５】
（実施の形態３）
実施の形態３に係る照明器具１は、取付部品２が正面矩形状に形成され、ＬＥＤモジュール３の板状体４０の中間部４３が第２屈曲部４４を有する形状に形成されている。実施の形態１および２と異なる構成について説明する。
【００５６】
図１１は、本発明の実施の形態３に係る照明器具を示す平面図、正面図、側面図である。図１１に示すように、実施の形態３に係る照明器具１は、直方体状の取付部品２を備えている。取付部品２は、Ｂ−Ｂ断面の方向の幅がＬＥＤモジュール３の幅よりもやや大きい形状に形成されている。
【００５７】
取付部品２には、平面矩形状のＬＥＤモジュール３が正面中央に配置されている。取付部品２は、正面から見た場合にＬＥＤモジュール３の周辺を囲む額縁状に形成されている。
【００５８】
図１２は、図１１に示す照明器具のＢ−Ｂ線の断面図である。図１２では、図２と同様に、照明器具１が天井９に設置された状態を示す。照明器具１が天井９に設置された状態で、鉛直方向がＺ軸、Ｂ−Ｂ線断面に直交する方向をＸ軸、Ｂ−Ｂ線断面内でＺ軸と直交する方向をＹ軸と定める。ＸＹ平面は、照明器具１が天井９に設置された状態で、水平面である。図１２に示す照明器具１は、本体部２２、第１保持部材２１１Ａ、および第２保持部材２１２Ａを有する取付部品２と、板状体４０および突起５０を有するＬＥＤモジュール３と、で構成されている。実施の形態３に係る照明器具１の取付部品２では、実施の形態１および２のベース部２９と反射板２８とを有していない。ＬＥＤモジュール３では、板状体４０が第２屈曲部４４を有する形状に形成されている。
【００５９】
本体部２２は、取付部品２の外形を画定する部材である。本体部２２は、板状部材が断面矩形状に折り曲げられることにより形成されている。本体部２２の正面側には、開口部２２１と、額縁部２２２とが形成されている。
【００６０】
開口部２２１は、ＬＥＤモジュール３の本体３１の平面形状よりも大きい矩形状に形成され、開口部２２１の内側にＬＥＤモジュール３が収容可能である。開口部２２１は、実施の形態１および２のＬＥＤモジュール取付部２１に相当する。
【００６１】
額縁部２２２は、開口部２２１を取り囲むように形成されている。額縁部２２２の＋Ｚ側の面は平らに形成され、ＬＥＤモジュール３のモジュールカバー３７が当接可能である。額縁部２２２の−Ｚ側の面には、第１保持部材２１１Ａ、第２保持部材２１２Ａが固定されている。
【００６２】
第１保持部材２１１Ａは、額縁部２２２の端部からＸＺ平面に平行に延び、その後、＋Ｙ方向に折れ曲がっている。第１保持部材２１１Ａには、その折れ曲がった先に後述する第１挿入孔２４（図１３参照）が形成され、第１挿入孔２４により板状体４０の中間部４３が保持されている。  第１保持部材２１１Ａは、本体部２２の側面との間に、板状体４０の先端部４１および第２屈曲部４４、突起５０の先端を収容する。
【００６３】
第２保持部材２１２Ａは、額縁部２２２からＸＺ平面に平行に延びた後、−Ｙ方向に折れ曲がっている。第２保持部材２１２Ａには、折れ曲がった部分に後述する第２挿入孔２５（図１３参照）が形成され、第２挿入孔２５により突起５０が保持されている。第２保持部材２１２Ａは、本体部２２の側面との間に、突起５０の先端を収容する。
【００６４】
図１３は、実施の形態３に係る取付部品の第１保持部材、第２保持部材を示す斜視図である。第１保持部材２１１Ａ、第２保持部材２１２Ａは、逆Ｔ字型の板状部材が折り曲げられて形成されている。第１保持部材２１１Ａは、支持部２１３および中央部２１５を、第２保持部材２１２Ａは、支持部２１４および中央部２１６をそれぞれ有する形状に形成されている。
【００６５】
支持部２１３、２１４は、逆Ｔ字型の第１保持部材２１１Ａ、第２保持部材２１２Ａの両側に延びる部分である。支持部２１３、２１４は、逆Ｔ字型の中央の部分から本体部２２の側面に向かって延びた後、屈曲して本体部２２の側面の表面に沿う方向に延びている。支持部２１３、２１４は、本体部２２の側面に固定されている。
【００６６】
中央部２１５、２１６は、逆Ｔ字型の第１保持部材２１１Ａ、第２保持部材２１２Ａの中央で、本体部２２の額縁部２２２の端部から取付部品２を天井９に設置した状態の−Ｚ方向に向かって延びる部分である。中央部２１５、２１６は、額縁部２２２の端部から、ＸＺ平面に平行に延びる鉛直面と、この鉛直面から本体部２２の内側に折れ曲がる傾斜面とを有する形状に形成されている。中央部２１５、２１６の傾斜面は、本体部２２の背面側の面まで延び、その面を支持している。中央部２１５の傾斜面には第１挿入孔２４が、中央部２１５の鉛直面には第３挿入孔２６が、それぞれ形成されている。中央部２１６には、傾斜面から鉛直面にかけて第２挿入孔２５が形成されている。第１挿入孔２４、第２挿入孔２５は、実施の形態１および２と同様の形状の貫通孔である。
【００６７】
第３挿入孔２６は、略矩形状の開口を有する形状に形成され、第１保持部材２１１Ａを形成する板状部材を貫通している。第３挿入孔２６は、取付部品２を天井９に設置した状態で、第１挿入孔２４の下部開口２４２よりも＋Ｚ方向に、下部開口２４２と不連続に形成されている。第３挿入孔２６の開口の辺は、取付部品２を天井９に設置した状態で、Ｘ方向、Ｚ方向を向いている。開口の大きさは、Ｘ方向の辺が第１挿入孔２４の上部開口２４１のＸ方向の辺の長さとほぼ同じであり、中間部４３の幅よりも大きい。Ｚ方向の辺は、Ｘ方向の辺よりも小さい。第３挿入孔２６のＸ方向の辺は、中間部４３の幅よりも大きいので、板状体４０の第２屈曲部４４の先端が挿入可能である。
【００６８】
図１４は、実施の形態３に係るＬＥＤモジュールの板状体、突起を示す斜視図である。板状体４０は、第２屈曲部４４で折り曲げられた中間部４３を有している。
【００６９】
中間部４３は、本体側面３１Ｄの側方に長さＷ３延びた後、第２屈曲部４４で本体背面３１Ａ側に略９０°屈曲している。中間部４３は、第２屈曲部４４で屈曲後、さらに長さＨ３延びて第１屈曲部４２まで達している。第２屈曲部４４から先端部４１までの水平方向（Ｙ方向）の距離Ｗ４は、第１保持部材２１１Ａの中央部２１５の下部開口２４２のＸ方向の辺から本体部２２の側面までの距離（図１３に示すＬ４）よりも小さい。これにより、中間部４３では、下部開口２４２に係合した状態で、第２屈曲部４４から先端部４１までの部分が第１保持部材２１１Ａと本体部２２の側面との間に収容可能である。
【００７０】
中間部４３では、第２屈曲部４４から第１屈曲部４２までの長さＨ３が、図１３に示す第１挿入孔２４の下部開口２４２のＸ方向の辺から第３挿入孔２６のＸ方向の辺のうちの−Ｚ側にある辺までの距離（図１３に示すＨ１）よりも大きい。また、長さＨ３が、図１３に示す第１挿入孔２４の下部開口２４２のＸ方向の辺から第３挿入孔２６のＸ方向の辺のうちの＋Ｚ側にある辺までの距離（図１３に示すＨ２）よりも小さい。長さＨ３は、下部開口２４２のＸ方向の辺から第３挿入孔２６の中央付近までの距離に等しい。中間部４３では、照明器具１の組み立てで、先端部４１を下部開口２４２に係止させたときに、第２屈曲部４４が第３挿入孔２６に挿入可能である。以下に、取付部品２とＬＥＤモジュール３とを用いて照明器具１を組み立てる方法について説明する。
【００７１】
図１５および図１６は、実施の形態３に係る照明器具の組立方法を示す斜視図である。図１５（Ａ）に示すように、まず、ＬＥＤモジュール３の板状体４０の先端部４１を、取付部品２の第１保持部材２１１Ａの第１挿入孔２４前に位置させる。そして、先端部４１を第１挿入孔２４の上部開口２４１に挿入する。
【００７２】
次に、板状体４０の先端部４１を第１挿入孔２４の内側に差し込んで、板状体４０の中間部４３の第１屈曲部４２を第１挿入孔２４の下部開口２４２に嵌め込む。図１５（Ｂ）に示すように、中間部４３は下部開口２４２に係合する。先端部４１は下部開口２４２に係止する。この状態で、下部開口２４２により先端部４１の抜き差しが阻止され、ＬＥＤモジュール３を取付部品２にぶら下げることが可能になる。ＬＥＤモジュール３を取付部品２にぶら下げた状態にすると、中間部４３の第２屈曲部４４は、第１保持部材２１１Ａの第３挿入孔２６内に位置する。中間部４３の板状面は、第３挿入孔２６の辺に当接する。ＬＥＤモジュール３は、取付部品２の第２保持部材２１２Ａ側の側面２２Ａに隙間を有する状態で、取付部品２にぶら下がる。
【００７３】
次に、ＬＥＤモジュール３の突起５０側の本体側面３１Ｃを押し上げて、突起５０を取付部品２の第２保持部材２１２Ａに押し当てる。突起５０は第２保持部材２１２Ａに押圧されて弾性変形する。ＬＥＤモジュール３を本体正面３１Ｂ側から押し上げると、板状体４０の先端部４１および中間部４３は、第１挿入孔２４奥にさらに差し込まれ、第２屈曲部４４が第１挿入孔２４内に位置するようになる。突起５０が第２保持部材２１２Ａの第２挿入孔２５まで達すると、突起５０は第２挿入孔２５によって弾性変形した状態から解放され、第２挿入孔２５に係止する。これにより、図１６（Ｃ）に示すように、ＬＥＤモジュール３が取付部品２に取り付けられ、照明器具１の組立が完了する。
【００７４】
以上のように、本実施の形態に係る照明器具１では、ＬＥＤモジュール３の板状体４０における中間部４３が、本体側面３１Ｄから本体背面３１Ａへ屈曲する第２屈曲部４４を有する形状に形成されている。取付部品２の第１保持部材２１１Ａには、第１挿入孔２４が形成され、第１保持部材２１１Ａと本体部２２側面との間には、板状体４０の先端部４１と第２屈曲部４４とが収容可能である。中間部４３は、第２屈曲部４４で本体側面３１Ｄから本体背面３１Ａへ屈曲している。このため、第１保持部材２１１Ａと本体部２２側面との間に第２屈曲部４４が収容された状態で、本体側面３１Ｄに大きなスペースを必要としない。実施の形態３に係る照明器具１では、実施の形態１および２と比較して、ＬＥＤモジュール３の本体３１の側面方向のスペースを小さくすることが可能である。例えば、取付部品２の側面に反射板２８が設けられない照明器具１でも、実施の形態１および２と同様に、ＬＥＤモジュール３が取付部品２から落下することが防止できる。
【００７５】
第１保持部材２１１Ａ、第２保持部材２１２Ａは、中央部２１５、２１６と支持部２１３、２１４とを有している。中央部２１５、２１６の傾斜面は、本体部２２の背面側の面を支持し、支持部２１３、２１４は、本体部２２の側面に固定されている。第１保持部材２１１Ａ、第２保持部材２１２Ａは、本体部２２の側面と背面側の面とが形成するコーナー部を補強して、照明器具１の機械的強度を高めることが可能である。
【００７６】
第１保持部材２１１Ａ、第２保持部材２１２Ａでは、中央部２１５、２１６の傾斜面に、第１挿入孔２４、第２挿入孔２５がそれぞれ形成されている。このため、本体部２２の開口部２２１からその内側へＬＥＤモジュール３を収容する場合に、第１挿入孔２４、第２挿入孔２５を視認することが容易である。従って、実施の形態３に係る照明器具１は、取付部品２とＬＥＤモジュール３との組立作業が容易である。
【００７７】
第１保持部材２１１Ａには、第１挿入孔２４よりも下方に配置された第３挿入孔２６が形成されている。第３挿入孔２６では、ＬＥＤモジュール３の板状体４０の先端部４１が第１挿入孔２４の下部開口２４２に係止した状態で、中間部４３の第２屈曲部４４を挿入することが可能である。照明器具１の組み立てにおいて、板状体４０の先端部４１を下部開口２４２に係止させたときに板状体４０の第２屈曲部４４が第１保持部材２１１Ａの板状の表面と当接することがない。このため、板状体４０が第２屈曲部４４を有する形状に形成された場合でも、照明器具１の組み立てにおいて、取付部品２の第２保持部材２１２Ａ側の側面２２Ａに隙間を設けることが可能である。本体部２２の開口部２２１へＬＥＤモジュール３を取り付ける場合に、第２挿入孔２５と突起５０との位置関係の確認が容易である。実施の形態３に係る照明器具１は、組み立て作業が容易である。
【００７８】
以上、本発明の実施の形態について説明したが、本発明の実施の形態に係る照明器具１は様々な変形が可能である。
【００７９】
例えば、上記の実施の形態では、板状体４０の先端部４１の幅が中間部４３の幅よりも大きく、かつ、上部開口２４１の長辺が下部開口２４２の長辺よりも大きい形態を説明した。しかし、本発明の板状体４０と第１挿入孔２４は、この形態に限られない。第１挿入孔２４は、板状体４０の先端が挿入可能な上部開口２４１と、その上部開口２４１と連続して板状体４０の先端を阻止する下部開口２４２とから構成されていればよい。また  板状体４０は、下部開口２４２に係合可能な中間部４３と、下部開口２４２に係止する先端部４１を有していればよい。
【００８０】
図１７は、第１挿入孔および板状体の変形例を示す斜視図である。図１７（Ａ）に示すように、板状体４０が、開口を有する中間部４３と、中間部４３と同じ幅で開口を有しない先端部４１とから構成されてもよい。このような板状体４０を採用する場合、第１挿入孔２４は、図１７（Ｂ）に示すように、上部開口２４１と、上部開口２４１と同じ幅で連続し、かつその中央に矩形状の凸部を有する下部開口２４２とから形成されてもよい。板状体４０の中間部４３の開口の幅をＷ２、先端部４１の幅をＷ１、第１挿入孔２４の上部開口２４１の幅をＤ１、下部開口２４２の凸部の幅をＤ２とした場合、Ｄ１＞Ｗ１＞Ｗ２＞Ｄ２の関係を満たせばよい。
【００８１】
図１７（Ｃ）に示すように、板状体４０について、板状体４０の先端部４１と中間部４３とがＬ字型の構造物を形成してもよい。このような板状体４０の場合、第１挿入孔２４は、上部開口２４１と下部開口２４２とが逆Ｌ字型を形成してもよい。板状体４０の中間部４３の幅をＷ２、先端部４１の幅をＷ１、第１挿入孔２４の上部開口２４１の幅をＤ１、下部開口２４２の幅をＤ２とした場合、Ｄ１＞Ｗ１＞Ｄ２＞Ｗ２の関係を満たせばよい。この関係は実施の形態１と同じである。
【００８２】
上記実施の形態では、突起５０は、板状体４０と連結部４５を介して形成されている形態を説明したが、連結部４５は必須の構成ではない。例えば、板状体４０の中間部４３と直接、突起５０が連結してもよいし、これらの構成が一体的に形成されてもよい。突起５０が中間部４３を屈曲させて形成されてもよい。
【００８３】
上記の実施の形態では、位置決め部４８が中間部４３に対して略垂直方向に分岐し、第１挿入孔２４よりも大きい形態を説明したが、その分岐の形態は上記の形態に限られない。位置決め部４８は、中間部４３を第１挿入孔２４に差し込んでいくときに、第１挿入孔２４入口にひっかかる形状であればよい。例えば、位置決め部４８の幅が下部開口２４２の長辺よりも小さく、位置決め部４８の高さが上部開口２４１および下部開口２４２の短辺の合計よりも大きくてもよい。
【００８４】
位置決め部４８は、板状体４０から分岐する部材に限られない。位置決め部４８は、ＬＥＤモジュール３が取付部品２に取り付けられた状態で、第１保持部２１１に対する本体３１の側面の位置を決めて、突起５０が第２挿入孔２５に挿入された状態を維持する部分であればよい。換言すると、位置決め部４８は、第２保持部２１２の面と突起５０の半円部５１の根本がほぼ同じ面上に配置されるように、ＬＥＤモジュール３の位置を規制する部分であればよい。例えば、位置決め部４８は、板状体４０が延びる側方と同じ側方に形成された部材であってもよく、板状体４０とは別の部材であってもよい。位置決め部４８は、直方体状のスペーサーであってもよい。
【００８５】
また、先端部４１が位置決め部４８を兼ね、先端部４１が当接する部分を取付部品２が備えてもよい。
【００８６】
図１８は、位置決め部の変形例を示す断面図である。図１８に示すように、取付部品２は、当接部材２８１を備えている。当接部材２８１は、取付部品２内の反射板２８の裏面側（−Ｚ方向の面）に形成され、板状体４０が第１挿入孔２４に挿入され、突起５０が第２挿入孔２５に挿入された状態で、先端部４１が当接する位置に配置されている。このように、先端部４１が位置決め部４８を兼ね、先端部４１が当接する部分を取付部品２が備えてもよい。
【００８７】
上記の実施の形態では、取付部品２からのＬＥＤモジュール３の脱落を防止する手段として、突起５０の位置や大きさや位置決め部４８を説明したが、突起５０が第２挿入孔２５に係止する手段を備えてもよい。
【００８８】
図１９は、突起の変形例を示す断面図である。図１９に示すように、突起５０が折り曲げられて係止部５３が形成されてもよい。係止部５３は、突起５０の半円部５１と接続部５２の間に形成された第２挿入孔２５側面に係止可能な部分である。例えば、係止部５３は、突起５０を形成する板状部材が、半円部５１内側方向に逆Ｖ字型に折り曲げられて形成される。
【００８９】
図１９に示す照明器具１では、突起５０の半円部５１が第２挿入孔２５に挿入されると、係止部５３が第２挿入孔２５側面に係止する。突起５０が第２挿入孔２５から抜き出される方向にひっぱられたとしても、係止部５３が第２挿入孔２５に係止しているので、突起５０は第２挿入孔２５からはずれることはない。このように、突起５０が係止部５３を有する形態であれば、取付部品２からのＬＥＤモジュール３の脱落を防止することが可能である。
【００９０】
上記の実施の形態では、第３挿入孔２６のＸ方向の辺が第１挿入孔２４の上部開口２４１のＸ方向の辺の長さとほぼ同じであったが、第３挿入孔２６のＸ方向の辺の長さはこれに限られない。第３挿入孔２６のＸ方向の辺の長さは、中間部４３の幅よりも大きければよい。すなわち、第３挿入孔２６に中間部４３の第２屈曲部４４が挿入可能であればよい。例えば、第３挿入孔２６のＸ方向の辺は、第１挿入孔２４の下部開口２４２のＸ方向の辺の長さとほぼ同じであってもよい。
【００９１】
上記の実施の形態では、第１保持部材２１１Ａが第３挿入孔２６を有する形状に形成されていたが、第３挿入孔２６は任意の構成である。
【００９２】
図２０は、第１保持部材の変形例を示す斜視図である。図２０に示すように、第１保持部材２１１Ａには、第１挿入孔２４が形成され、第３挿入孔２６が形成されていなくてもよい。第１保持部材２１１Ａには、下部開口２４２よりも下方側に、板状体４０の先端部４１が下部開口２４２に係止した状態で、板状体４０の第２屈曲部４４が収容可能な空間が設けられていればよい。図２０に示す第１保持部材２１１Ａでは、第１挿入孔２４の下部開口２４２の下辺から第１保持部材２１１Ａの下端部までの距離Ｈ４が、第２屈曲部４４から第１屈曲部４２までの長さ（図１４に示すＨ３）よりも小さく、板状体４０の先端部４１が下部開口２４２に係止したときに、第１保持部材２１１Ａには第２屈曲部４４に接触する構造物が存在しない。このため、照明器具１の組み立てにおいて、本体側面３１Ｃと取付部品２の第２保持部材２１２Ａ側の側面２２Ａとの間に隙間を設けることが可能である。隙間から位置の確認ができるので、照明器具１の組み立て作業が容易である。
【００９３】
第１保持部材２１１Ａには、下部開口２４２よりも下方側に、板状体４０の先端部４１が下部開口２４２に係止した状態で板状体４０の第２屈曲部４４が収容可能な空間が設けられていればよいので、例えば、第１保持部材２１１Ａが第３挿入孔２６と同じ開口の凹部を有する形状に形成されてもよい。また、第１保持部材２１１Ａは、孔を有する形状ではなく、第３挿入孔２６の下端部または側端部が開放された形状に形成されてもよい。
【００９４】
また、上記の実施の形態では、第３挿入孔２６が略矩形状の開口を有する形状に形成されていたが、第３挿入孔２６の開口はこれに限られない。例えば、第３挿入孔２６の開口は、正方形状や楕円形状であってもよい。
【００９５】
上記の実施の形態では、第１保持部材２１１Ａと、第２保持部材２１２Ａの、中央部２１５、２１６が折れ曲がっていたが、第１保持部材２１１Ａ、第２保持部材２１２Ａの形状はこれに限られない。
【００９６】
図２１は、第１保持部材、第２保持部材の変形例を示す断面図である。図２１に示すように、第１保持部材２１１Ａ、第２保持部材２１２Ａの、中央部２１５、２１６が曲面状に形成されてもよい。この場合に、板状体４０が第１屈曲部４２と第２屈曲部４４とを有し、中間部４３の、第１屈曲部４２と第２屈曲部４４と間の部分が平面状に形成されてもよい。板状体４０の第２屈曲部４４は、本体側面３１Ｄの側方から本体背面３１Ａ側に鈍角を形成してもよい。第１保持部材２１１Ａは、第１保持部材２１１Ａの下部開口２４２に、板状体４０の先端部４１が係止可能な形状であればよい。また、第２保持部材２１２Ａは、第２保持部材２１２Ａの第２挿入孔２５に突起５０が挿入可能で、かつ突起５０がその面方向に係止可能な形状であればよい。
【００９７】
第１保持部材２１１Ａが第３挿入孔２６を有する形状に形成された場合には、第１保持部材２１１Ａと板状体４０とは、板状体４０の先端部４１が第１保持部材２１１Ａの第１挿入孔２４の下部開口２４２に係止し、ＬＥＤモジュール３がぶら下がった状態で、中間部４３の第２屈曲部４４が第１保持部材２１１Ａの面に対して突出する関係にあればよい。例えば、第１保持部材２１１Ａが平面を有する形状に形成され、板状体４０は、板状部材が第１屈曲部４２、第２屈曲部４４で鋭角を形成するように折り曲げられることにより、形成されてもよい。
【００９８】
上記の実施の形態では、取付部品２が直方体形状に形成されていたが、取付部品２の形状は直方体形状に限定されない。取付部品２は、本体３１の側面と対向して、本体３１を収容可能な距離に支持される第１保持部２１１と第２保持部２１２とを有する形状であればよい。中間部４３が第２屈曲部４４を有する形状に形成されている場合には、第１保持部２１１と外形を画定する本体部２２との間に、板状体４０の先端部４１から第２屈曲部４４までの中間部４３を収容可能な形状であればよい。例えば、取付部品２は断面略台形形状であってもよい。
【００９９】
また、ＬＥＤモジュール３の形状も上記の実施の形態の形状に限定されない。例えば、正面正方形状や正面円形状のＬＥＤモジュール３であってもよい。
【０１００】
上記の実施形態の一部又は全部は、以下の付記のようにも記載されうるが、以下には限られない。
【０１０１】
（付記１）
光源を正面側に支持する本体、該本体から側方に向かって延びる板状体、前記本体から前記板状体と反対の側方に向かって突出し、および、突出する方向と反対の方向から押圧することによって弾性変形する突起部材、を有する光源部品と、
前記本体の前記板状体側の側面と前記突起部材側の側面にそれぞれ対向して、前記本体を収容可能な距離に支持される第１保持部材と第２保持部材とを有する取付部品と、
を備え、
前記第１保持部材は、前記本体を収容した場合の前記本体の背面側から、前記板状体の先端が挿入可能な第１の開口、および、該第１の開口の前記本体の正面側に連続して前記板状体の先端の抜出を阻止する第２の開口、から構成される第１挿入孔が形成され、
前記板状体は、その中間部が前記第２の開口に係合可能であって、前記第２の開口に係止する先端部を有し、
前記第２保持部材は、前記突起部材が挿入可能であって、前記突起部材を前記第２保持部材の面の方向に係止する第２挿入孔が形成され、
前記第１保持部材と前記第２保持部材の間隔は、前記板状体の前記先端部から前記突起部材の先端までの距離より小さい、
ことを特徴とする照明器具。
【０１０２】
（付記２）
前記中間部は、前記本体の側方から背面側に屈曲する屈曲部を有し、
前記第１挿入孔は、前記先端部から前記屈曲部までの前記中間部を収容可能に形成されることを特徴とする付記１に記載の照明器具。
【０１０３】
（付記３）
前記第１保持部材は、前記本体の正面側に向かって広がる方向に傾斜する傾斜面を有する形状に形成され、
前記第１挿入孔は前記傾斜面に形成されていることを特徴とする付記１または２に記載の照明器具。
【０１０４】
（付記４）
前記第１保持部材には、前記第２の開口よりも正面側に位置し、前記先端部が前記第２の開口に係止した状態で前記屈曲部が挿入可能な第３挿入孔が形成されることを特徴とする付記２に記載の照明器具。
【０１０５】
（付記５）
前記第３挿入孔は、前記先端部が前記第２の開口に係止した状態における前記第２の開口から前記屈曲部までの距離と同じ距離だけ前記第２の開口から離れた位置に、前記中間部の幅よりも大きい幅を有する形状に形成されることを特徴とする付記４に記載の照明器具。
【０１０６】
（付記６）
前記屈曲部は、前記本体の側方から前記本体の背面側へ略直角に屈曲することを特徴とする付記２、４および５のいずれかに記載の照明器具。
【０１０７】
（付記７）
前記光源部品は、前記本体が前記第１保持部材および前記第２保持部材に収容された状態で、前記第１保持部材に対する前記本体の側面の位置を決めて、前記突起部材が前記第２挿入孔に挿入された状態を維持する位置決め部を有することを特徴とする付記１ないし６のいずれかに記載の照明器具。
【０１０８】
（付記８）
前記位置決め部は、前記板状体に固定され、前記本体の側方から前記第１保持部材に当接する部材であることを特徴とする付記７に記載の照明器具。
【０１０９】
（付記９）
前記突起部材は、前記中間部が前記本体の側方に突出して屈曲した板状の弾性体であることを特徴とする付記１ないし８のいずれかに記載の照明器具。
【０１１０】
（付記１０）
前記第１の開口の幅は、前記第２の開口の幅より大きく、
前記板状体の前記中間部の幅は、前記第２の開口の幅より小さく、
前記板状体の前記先端部の幅は、前記第２の開口の幅より大きいことを特徴とする付記１ないし９のいずれかに記載の照明器具。
【０１１１】
（付記１１）
前記板状体と前記突起部材は、１つの板状部材が折り曲げられて成形されていることを特徴とする付記１ないし１０のいずれかに記載の照明器具。
【０１１２】
（付記１２）
前記本体は、正面が略長方形に形成され、
前記板状体および前記突起部材は、前記本体の長辺に配置されることを特徴とする付記１ないし１１のいずれかに記載の照明器具。
【０１１３】
（付記１３）
付記１ないし１２のいずれかに記載の照明器具の取付部品に取付可能な光源部品であって、
光源を正面側に支持する本体、該本体から側方に向かって延びる板状体、前記本体から前記板状体と反対の側方に向かって突出し、および、突出する方向と反対の方向から押圧することによって弾性変形する突起部材、を備え、
前記板状体は、その中間部が前記第２の開口に係合可能であって、前記第２の開口に係止する先端部を有することを特徴とする光源部品。
【０１１４】
（付記１４）
付記１ないし１２のいずれかに記載の照明器具の光源部品が取付可能な取付部品であって、
前記本体の前記板状体側の側面と前記突起部材側の側面にそれぞれ対向して、前記本体を収容可能な距離に支持される第１保持部材と第２保持部材と、
を備え、
前記第１保持部材は、前記本体を収容した場合の前記本体の背面側から、前記板状体の先端が挿入可能な第１の開口、および、該第１の開口の前記本体の正面側に連続して前記板状体の先端の抜出を阻止する第２の開口、から構成される第１挿入孔が形成され、
前記第２保持部材は、前記突起部材が挿入可能であって、前記突起部材を前記第２保持部材の面の方向に係止する第２挿入孔が形成され、
前記第１保持部材と前記第２保持部材の間隔は、前記板状体の前記先端部から前記突起部材の先端までの距離より小さい、
ことを特徴とする取付部品。
【符号の説明】
【０１１５】
１    照明器具
２    取付部品
３    ＬＥＤモジュール
９    天井
２１    ＬＥＤモジュール取付部
２２    本体部
２２Ａ  側面
２４    第１挿入孔
２５    第２挿入孔
２６    第３挿入孔
２７    器具取付具（ボルト、ナット）
２８    反射板
２９    ベース部
３１    本体
３１Ａ  本体背面
３１Ｂ  本体正面
３１Ｃ  本体側面
３１Ｄ  本体側面
３５    ＬＥＤ
３６    電源回路
３７    モジュールカバー
４０    板状体
４１    先端部
４２    第１屈曲部
４３    中間部
４４    第２屈曲部
４５    連結部
４６    固定部
４７    留め具
４８    位置決め部
５０    突起
５１    半円部
５２    接続部
５３    係止部
２１１    第１保持部
２１２    第２保持部
２１１Ａ  第１保持部材
２１２Ａ  第２保持部材
２１３    支持部
２１４    支持部
２１５    中央部
２１６    中央部
２２１    開口部
２２２    額縁部
２４１    上部開口
２４２    下部開口
２８１    当接部材
３５１    基板
【図１】
2015072886.tif 000003
【図２】
2015072886.tif 000004
【図３】
2015072886.tif 000005
【図４】
2015072886.tif 000006
【図５】
2015072886.tif 000007
【図６】
2015072886.tif 000008
【図７】
2015072886.tif 000009
【図８】
2015072886.tif 000010
【図９】
2015072886.tif 000011
【図１０】
2015072886.tif 000012
【図１１】
2015072886.tif 000013
【図１２】
2015072886.tif 000014
【図１３】
2015072886.tif 000015
【図１４】
2015072886.tif 000016
【図１５】
2015072886.tif 000017
【図１６】
2015072886.tif 000018
【図１７】
2015072886.tif 000019
【図１８】
2015072886.tif 000020
【図１９】
2015072886.tif 000021
【図２０】
2015072886.tif 000022
【図２１】
2015072886.tif 000023